(57)【要約】【課題】遊技者や場内係員に必要な情報を提供するとともに、場内を華やいだ雰囲気にして、遊技者の興趣を高めるのに効果のある演出を行うことのできる表示装置を提供する。【解決手段】表示器５と、該表示器を保持する保持手段３と、該保持手段を移動させる移動手段１とを備える。移動手段１は、保持手段３を上下に移動させる上下移動手段、保持手段３を前後に回動させる前後回動手段、および保持手段３を左右に回動させる左右回動手段のいずれかとするか、または複数の移動手段を組み合わせたものとする。【選択図】図１
0003119448.tif 000002
【実用新案登録請求の範囲】
【請求項１】
遊技機またはその周辺に取り付けられる表示装置であって、表示器と、該表示器を保持する保持手段と、該保持手段を上下に移動させる上下移動手段とを具備することを特徴とする表示装置。
【請求項２】
遊技機またはその周辺に取り付けられる表示装置であって、表示器と、該表示器を保持する保持手段と、該保持手段を前後に回動させる前後回動手段とを具備することを特徴とする表示装置。
【請求項３】
遊技機またはその周辺に取り付けられる表示装置であって、表示器と、該表示器を保持する保持手段と、該保持手段を左右に回動させる左右回動手段とを具備することを特徴とする表示装置。
【考案の詳細な説明】
【技術分野】
【０００１】
この考案は、遊技機またはその周辺に取り付けられる表示装置に関する。
【背景技術】
【０００２】
パチンコ等の遊技場では、遊技機またはその周辺に取り付けられて、各遊技機の状態を示す情報を表示したり、サービスタイム、新台入れ替え等のイベント情報を表示したりする各種の表示器が使用される。表示器としては、例えばプレート型のもの、旗・幟型のもの等がある。
【０００３】
この種の表示器は、単に遊技者や場内係員に情報を提供するだけでなく、遊技場の雰囲気を盛り上げるという重要な役割を担っている。しかしながら、従来の表示器は、必要最小限の文字や図柄にわずかな装飾を施しただけの簡単なものであったので、雰囲気を盛り上げるという点で効果に乏しかった。特許文献１〜３には、表示効果を高めることを目的として表示器を発光させる提案がなされているが、これらの表示器は、基本的には従来の表示器と大差は無く、少しは遊技者の注意を引くという効果は認められるものの、遊技者の興趣を高める演出としては充分とはいえない。
【特許文献１】特開平８−１６０８９３号公報
【特許文献２】特開２００３−１８１１１７号公報
【特許文献３】特開２００５−４０５５８号公報
【考案の開示】
【考案が解決しようとする課題】
【０００４】
そこで本考案は、遊技者や場内係員に必要な情報を提供するとともに、場内を華やいだ雰囲気にして、遊技者の興趣を高めるのに効果のある演出を行うことのできる表示装置を提供することを課題としている。
【課題を解決するための手段】
【０００５】
上記課題を解決するために、本考案は次の構成とした。すなわち、請求項１に記載の表示装置は、遊技機またはその周辺に取り付けられる表示装置であって、表示器と、該表示器を保持する保持手段と、該保持手段を上下に移動させる上下移動手段とを具備することを特徴としている。
【０００６】
請求項２に記載の表示装置は、遊技機またはその周辺に取り付けられる表示装置であって、表示器と、該表示器を保持する保持手段と、該保持手段を前後に回動させる前後回動手段とを具備することを特徴としている。
【０００７】
また、請求項３に記載の表示装置は、遊技機またはその周辺に取り付けられる表示装置であって、表示器と、該表示器を保持する保持手段と、該保持手段を左右に回動させる左右回動手段とを具備することを特徴としている。
【０００８】
請求項１〜３に記載の表示装置によれば、保持手段に保持された表示器が各種動作を行う。請求項１の場合は、表示器が上下に移動する。請求項２の場合は、表示器が前後に回動する。請求項３の場合は、表示器が左右に回動する。
【考案の効果】
【０００９】
本考案に係る表示装置は、遊技者や場内係員に必要な情報を提供するとともに、保持手段に保持された表示器が各種動作を行うことにより、場内を華やいだ雰囲気にして、遊技者の興趣を高めることができる。
【考案を実施するための最良の形態】
【００１０】
以下、本考案の実施例について説明する。
【実施例１】
【００１１】
図１は実施例１の外観斜視図である。この表示装置Ａは、表示器の移動手段である駆動ボックス１を備え、この駆動ボックス１に上部側が若干前方に傾斜する上下移動ガイド２が上方に貫通させて設けられ、その上下移動ガイド２に、表示器の保持手段である幟保持筒３が摺動自在に嵌合している。駆動ボックス１は、ボルト４により遊技機支持枠に取り付けられる。幟保持筒３に幟５の棹５ａを差し込んで、表示器である幟５が装着される。駆動ボックス２内の上下移動機構により、上下移動ガイド２に対して幟保持筒３が上下に摺動し、これに保持された幟５が上下に移動する。幟５が上下動する様は躍動感が感じられ、遊技者の気分を高揚させることができる。
【００１２】
上下移動機構の構成を図２に示す。幟支持筒３にはラック６が形成されており、このラック６にピニオン７が歯合し、このピニオン７を、減速器８を介して伝達されるモータ９の動力で駆動するようになっている。回転方向を正逆反転させながらモータ９を駆動すると、幟保持筒３が上下に往復移動する。
【実施例２】
【００１３】
図３は実施例２の外観斜視図である。この表示装置Ｂは、移動手段である駆動ボックス１の上面部に前後方向に長いガイド溝１０が形成されており、このガイド溝１０から、下端部を支点にして前後回動自在に支持された保持手段としての幟保持筒３が上方に突出している。駆動ボックス１は、ボルト４により遊技機支持枠に取り付けられる。幟保持筒３に幟５の棹５ａを差し込んで、表示器である幟５が装着される。駆動ボックス２内の前後回動機構により、ガイド溝１０に沿って幟保持筒３が前後に回動し、これに保持された幟５も前後に回動する。幟５が前後に回動すると、遊技機が両側に設置されている通路から見た場合の幟５の動作が大きいので、華やいだ雰囲気を演出することができる。
【００１４】
前後回動機構の構成を図４に示す。幟支持筒３には該幟支持筒の回動支点３ａを中心とする扇形ギヤ１１が一体に形成されており、この扇形ギヤ１１にピニオン７が歯合し、このピニオン７を、減速器８を介して伝達されるモータ９の動力で駆動するようになっている。回転方向を正逆反転させながらモータ９を駆動すると、幟保持筒３が前後に揺動する。
【実施例３】
【００１５】
図５は実施例３の外観斜視図である。この表示装置Ｃは、移動手段である駆動ボックス１の上面部に左右方向に長いガイド溝１２が形成されており、このガイド溝１２から、下端部を支点にして左右回動自在に支持された保持手段としての幟保持筒３が上方に突出している。駆動ボックス１は、ボルト４により遊技機支持枠に取り付けられる。幟保持筒３に幟５の棹５ａを差し込んで、表示器である幟５が装着される。駆動ボックス２内の左右回動機構により、ガイド溝１２に沿って幟保持筒３が左右に回動し、これに保持された幟５も左右に回動する。幟５が左右に回動すると、布部分がはためき、清涼感が感じられる。
【００１６】
前後回動機構の構成を図６に示す。幟支持筒３には該幟支持筒の回動支点３ａを中心とする扇形ギヤ１３が一体に形成されており、この扇形ギヤ１３にピニオン７が歯合し、このピニオン７を、減速器８を介して伝達されるモータ９の動力で駆動するようになっている。回転方向を正逆反転させながらモータ９を駆動すると、幟保持筒３が左右に揺動する。
【産業上の利用可能性】
【００１７】
上記各実施例１〜３では、ボルト４によって表示装置（駆動ケース１）を遊技機支持枠に取り付けるようにしているが、他の取付手段、例えば接着剤、両面接着シート等を用いて取り付けるようにしてもよい。また、この表示装置Ａ，Ｂ，Ｃは、遊技機支持枠に限らず、遊技機支持枠上方の幕板や、遊技機自体に取り付けてもよい。さらに、上記各実施例１〜３では、表示器を幟としているが、プレート型等、他の形態の表示器としてもよい。
【００１８】
また、上記各実施例１〜３は、それぞれ表示器を上下移動、前後移動、および左右移動の動作を単独で行うようにしているが、これらの動作を複数組み合わせて行わせるようにしてもよい。
【図面の簡単な説明】
【００１９】
【図１】表示装置の外観斜視図である。（実施例１）
【図２】上下移動機構の構成を示す図である。（実施例１）
【図３】表示装置の外観斜視図である。（実施例２）
【図４】前後回動機構の構成を示す図である。（実施例２）
【図５】表示装置の外観斜視図である。（実施例３）
【図６】左右回動機構の構成を示す図である。（実施例３）
【符号の説明】
【００２０】
Ａ，Ｂ，Ｃ  表示装置
１  駆動ボックス（駆動手段）
３  幟保持筒（保持手段）
５  幟（表示器）
【図１】
0003119448.tif 000003
【図２】
0003119448.tif 000004
【図３】
0003119448.tif 000005
【図４】
0003119448.tif 000006
【図５】
0003119448.tif 000007
【図６】
0003119448.tif 000008